(57)【要約】 【課題】  旋回流により生成された大気泡を間欠的に加速噴流に供給することで大型ポンプを用いることなく吐水に十分大きな流速変動を与えることができる構成であっても、局部洗浄装置の水路に残留する水を低減させつつ、安定して間欠的に大気泡を加速噴流に供給することが可能な局部洗浄装置を提供することを目的とする。【解決手段】  水溜室に生じさせた旋回流によって生成された大気泡を間欠的に加速噴流に供給することで、吐水に十分大きな流速変動を与えることができる局部洗浄装置において、局部洗浄後に給水路からの水抜きは行いつつも、旋回流を生じさせるために水溜室に副水流を供給する水路からは水が抜けないよう水抜け防止手段を設けた。【選択図】  図１７
2015068098.tif 000002
【特許請求の範囲】
【請求項１】
人体局部に向けて水を吐出する、大便器に取付けられる局部洗浄装置であって、
人体局部に水を吐出する吐出口を有するノズルと、
前記ノズルに給水源からの水を供給する給水路と、
前記給水路から供給された水を下流側に向けて加速させ、加速噴流として噴射する噴射口と、
前記噴射口の下流側に設けられ、前記加速噴流を前記吐出口に導く吐出流路と、
前記噴射口と前記吐出流路との間に設けられ、前記噴射口から前記吐出流路に至る前記加速噴流が通過する経路である第一通水経路部及び前記第一通水経路部の一側に隣接するとともに前記第一通水経路部と同一空間として構成された溜水を形成するための水溜部を有する水溜室と、
前記水溜部で少なくとも一つの大気泡を生成するとともに、この大気泡を前記第一通水経路部に供給する気泡供給手段と、
前記給水路を大気と連通させる大気開放部と、を備え、
前記気泡供給手段は、
前記水溜部に空気を導入する空気導入口と、
前記空気導入口から空気を導入すると共に、導入した空気を泡状に大きく成長させるために、前記水溜部の溜水に旋回流を生じさせる副水流を導入する副水流導入口と、
前記副水流導入口に前記給水路から所定の流量を供給するために前記給水路から分岐して設けられた副水流用分岐水路からなり、
前記旋回流によって大きく成長させた気泡を間欠的に前記第一通水経路部に供給するよう構成されるものであって、
さらに、給水源から前記給水路への水の供給を停止し、前記大気開放部によって前記給水路を大気と連通させた状態において、前記副水流用分岐水路から水が抜けないようにする水抜け防止手段を設けたことを特徴とする局部洗浄装置。
【請求項２】
前記水抜け防止手段は、
前記副水流用分岐水路の上流から供給された水を流入させる流入口と、
前記流入口より流入した水を前記副水流用分岐水路の下流側へ流出させる流出口と、前記流入口から前記流出口へ至る前記流入口から流入した水が通過する経路である第二通水経路部と、
前記第二通水経路部を進行しようとする水に進行を妨げる抵抗を与えるよう前記第二通水経路部の側方に水を滞留する滞留部と、を有し、
前記滞留部が、前記第二通水経路部と同一空間として構成された、前記第二通水経路部に沿って前記流入口および前記流出口よりも大きな断面積を有するよう前記副水流用分岐水路に設けられた滞留室からなることを特徴とする請求項１に記載の局部洗浄装置。
【請求項３】
前記滞留室は、前記副水流用分岐水路に複数設けられていることを特徴とする請求項２に記載の局部洗浄装置。
【請求項４】
前記滞留室には、前記流入口の軸心方向に前記流入口から流入しようとする水の進行を妨げるよう作用する壁部を設けたことを特徴とする請求項２または３に記載の局部洗浄装置。
【請求項５】
前記複数の滞留室における前記流入口および前記流出口はそれぞれ、上流側に隣接する前記滞留室の前記流出口および下流側に隣接する前記滞留室の前記流入口と直接接続されていることを特徴とする請求項３または４に記載の局部洗浄装置。
【発明の詳細な説明】
【技術分野】
【０００１】
本発明は、人体局部を洗浄する局部洗浄装置に関する。
【背景技術】
【０００２】
人体局部を洗浄するための局部洗浄装置は、洗浄感を高めることが求められている。洗浄感は、局部洗浄装置から吐出された水が人体に当たった場合の刺激感と量感とによって左右される感覚である。刺激感と量感とを吐出される水の性状に当てはめると、刺激感とは水の流速に代表される物理量であり、量感とは人体に当たった水の面積（人体に当たる直前の水の断面積にも相当する）に代表される物理量である。換言すれば、刺激感は水の流速に応じて使用者が感じる水の刺激の強さであって、水の流速が速くなれば刺激感が強くなり、水の流速が遅くなれば刺激感が弱くなるものである。また、量感は人体に当たった水の面積に応じて使用者が感じる水の量の多少であって、水の面積が広くなれば量感が強くなり、水の面積が狭くなれば量感が弱くなるものである。
【０００３】
一方で局部洗浄装置には、より節水性能を高めることも求められている。節水性能を高めるには、局部洗浄装置から吐出される水の量を減らすことが必要であるものの、単純に吐出される水の量を減らせば量感が低減されることになり、洗浄感に不満を抱く使用者が増えるおそれがある。
【０００４】
そこで、吐水の流速を変動させることにより流速差を生じさせ、流速の速い水流を流速の遅い水流に追いつかせることによって、連続的な線状の吐水を間欠的な水塊による吐水に変換することで、低水量でありながら、人体に当たる水の面積を確保し、量感を損ねない技術が提案されている。
【０００５】
特許文献１に記載の技術では、このような速度差を形成するために、局部洗浄装置への給水圧よりも高い圧力を間欠的に加えて、吐水圧を大きく変動させることが利用されている。このように吐水圧を大きく変動させることで、吐水に間欠的な流速変動が起きることから、上述したような間欠的な水塊による吐水が実現される。
【０００６】
特許文献１に記載の技術は、間欠的な水塊による吐水を確実に実現するためには優れた技術であるけれども、給水圧よりも高い圧力を加えるために比較的大型のポンプが必要となる。このような比較的大型のポンプが必須のものとされれば、局部洗浄装置全体が高価なものとなり、装置の大型化にも繋がるおそれがある。
【０００７】
ポンプを用いずに吐水の流速を周期的に変動させる技術としては、下記特許文献２に記載のものが提案されている。特許文献２に記載の技術は、ノズルの吐出口よりも上流で噴射させた加速噴流が通過する経路に、水の流れによって導入および成長させた気泡（大気泡）を間欠的に供給することによって、大気泡の中を加速噴流が貫通する第一通水状態と、大気泡ではなく溜水の中を加速噴流が通過する第二通水状態とを交互に繰り返す状態を作り出し、加速噴流に対する通水抵抗に変動を与え、吐水に大きな流速変動を与えることができる。
【先行技術文献】
【特許文献】
【０００８】
【特許文献１】特開２００１−９０１５１号公報
【特許文献２】特許第５０２４５７６号公報
【発明の概要】
【発明が解決しようとする課題】
【０００９】
特許文献２に記載の技術においては、大気泡を作り出すために、気泡を外部より導入すると共にその気泡を成長させる水溜室に、加速噴流とは別途に、水溜室に旋回流を生じさせるよう、所定の流量で水を供給し続けるよう構成されている。この旋回流によって、外部から気泡を水溜室に導入すると共に、気泡を成長させることができる。なお、最適な流量で水溜室に水を供給しなければ、大気泡を作り出すことは難しく、水溜室に供給する水の流量は予め最適な流量となるよう設計しなければならない。流量調整弁を追加するなど、構成を複雑化することなく、最適な流量で水を水溜室に供給する構成としては、給水源からノズルの吐出口に至る水路（給水路）を分岐させ、この分岐した水路（分岐水路）の圧損を調整することで水溜室に所定の流量の水を供給することが好ましい。
【００１０】
ここで、局部洗浄装置においては、長期間の水の滞留によって生じ得る菌の繁殖を防止するため、使用者の局部洗浄後に、局部洗浄装置内の水路に残留する水の量を低減させることが好ましい。そのために、使用者の局部洗浄後に、局部洗浄装置内の水路を大気と連通させ、水路から水抜きを行うことが考えられる。しかし、特許文献２に記載された構成の場合、水溜室に所定の流量で水を供給する水路（副水流用水路）の水抜きを行ってしまうと、水抜き後に、その水路内壁に残留した水の蒸発により副水流用水路内壁にスケールが付着し、副水流用水路の圧損が変化してしまう恐れがある。このように圧損の変化が生じてしまうと、水溜室に最適な流量で水が供給されず、所望の大気泡を作り出せなくなり、加速噴流に間欠的に大気泡を供給できなくなってしまうため、結果的に、間欠的な水塊による吐水を行えなくなってしまう。したがって、副水流用水路から水を抜くことは好ましくない。
【００１１】
しかし、上述したような分岐水路を設けた構成においては、分岐水路を大気と連通させずとも、給水路を大気と連通させてしまうと、給水路に連通する分岐水路からも水が抜けてしまうため、上述したように、間欠的な水塊による吐水を行えなくなってしまい、そもそも狙いとしている洗浄感を得られなくなるという大きな問題が生じる。
【００１２】
本発明は、上記問題を解決するためになされたものであり、旋回流により生成された大気泡を間欠的に加速噴流に供給することで大型ポンプを用いることなく吐水に十分大きな流速変動を与えることができる構成であっても、局部洗浄装置の水路に残留する水を低減させつつ、安定して間欠的に大気泡を加速噴流に供給することが可能な局部洗浄装置を提供することを目的とする。
【課題を解決するための手段】
【００１３】
本発明に係る局部洗浄装置は、人体局部に向けて水を吐出する、大便器に取付けられる局部洗浄装置であって、  人体局部に水を吐出する吐出口を有するノズルと、前記ノズルに給水源からの水を供給する給水路と、前記給水路から供給された水を下流側に向けて加速させ、加速噴流として噴射する噴射口と、前記噴射口の下流側に設けられ、前記加速噴流を前記吐出口に導く吐出流路と、前記噴射口と前記吐出流路との間に設けられ、前記噴射口から前記吐出流路に至る前記加速噴流が通過する経路である第一通水経路部及び前記第一通水経路部の一側に隣接するとともに前記第一通水経路部と同一空間として構成された溜水を形成するための水溜部を有する水溜室と、前記水溜部で少なくとも一つの大気泡を生成するとともに、この大気泡を前記第一通水経路部に供給する気泡供給手段と、前記給水路を大気と連通させる大気開放部と、を備え、前記気泡供給手段は、前記水溜部に空気を導入する空気導入口と、前記空気導入口から空気を導入すると共に、導入した空気を泡状に大きく成長させるために、前記水溜部の溜水に旋回流を生じさせる副水流を導入する副水流導入口と、前記副水流導入口に前記給水路から所定の流量を供給するために前記給水路から分岐して設けられた副水流用分岐水路からなり、前記旋回流によって大きく成長させた気泡を間欠的に前記第一通水経路部に供給するよう構成されるものであって、さらに、給水源から前記給水路への水の供給を停止し、前記大気開放部によって前記給水路を大気と連通させた状態において、前記副水流用分岐水路から水が抜けないようにする水抜け防止手段を設けたことを特徴とする。
【００１４】
このように構成された本発明においては、給水路および副水流用分岐水路に通水して使用者が局部洗浄を行った後、副水流用分岐水路と連通する給水路から水を抜くために大気開放部によって給水路を大気と連通させたとしても、副水流用分岐水路から水が抜けないようにする水抜け防止手段を設けているため、給水路からは水が抜ける一方で、副水流用分岐水路からは水が抜けないようにすることができる。
したがって、使用者が局部洗浄を行わない待機状態、すなわち、給水源より給水路に水を供給していない状態において、副水流用分岐水路を水で満たした状態を維持することができる。これにより、副水流用分岐水路内を空気が流動することを抑制でき、副水流用分岐水路内の水が空気と接触する機会を低減させることができるため、副水流用分岐水路の内壁にスケールが付着することを防止することができる。したがって、スケール付着によって副水流用分岐水路の圧損が変化することを防止でき、安定的に所定の流量で副水流を水溜室１０に供給することができ、安定的に大気泡を作り出すことができる。
このように、本発明では、局部洗浄装置の水路に残留する水を低減させつつも、安定して間欠的に大気泡を加速噴流に供給することができる。
【００１５】
本発明は、好ましくは、前記水抜け防止手段は、前記副水流用分岐水路の上流から供給された水を流入させる流入口と、前記流入口より流入した水を前記副水流用分岐水路の下流側へ流出させる流出口と、前記流入口から前記流出口へ至る前記流入口から流入した水が通過する経路である第二通水経路部と、前記第二通水経路部を進行しようとする水に進行を妨げる抵抗を与えるよう前記第二通水経路部の側方に水を滞留する滞留部と、を有し、前記滞留部が、前記第二通水経路部と同一空間として構成された、前記第二通水経路部に沿って前記流入口および前記流出口よりも大きな断面積を有するよう前記副水流用分岐水路に設けられた滞留室からなることを特徴とする。
【００１６】
滞留室における第二通水経路部を進行しようとする水が、第二通水経路部の側方に滞留された滞留部の水からその進行を妨げる抵抗を与えられるため、第二通水経路部の水の進行が生じづらくなり、これにより副水流用分岐水路全体における水の流動を防止できるため、副水流用分岐水路から水が抜けることを防止することができる。
【００１７】
ここで、副水流用分岐水路からの水抜けを生じさせないようにする方法としては、副水流用分岐水路を非常に細く設ける（言い換えると、副水流用分岐水路の断面を、上流から下流に亘って非常に小さく設ける）ことも考えられる。しかし、副水流用分岐水路から水が抜けないようにしていたとしても、長期間局部洗浄装置が使用されない場合には、副水流用分岐水路内の水が蒸発してしまい、副水流用分岐水路の内壁にスケールが生じる恐れがあるため、副水流用分岐水路を細く設けてしまうと、このようなスケールの付着が生じた部分の副水流用分岐水路の断面が非常に小さくなってしまい、この部分で非常に大きな圧損を生じる恐れがある。一方、本発明では、副水流用分岐水路から水が抜けないようにするために、第二通水経路部に沿って滞留室の流入口および流出口よりも大きな断面積を有するよう滞留室を副水流用分岐水路に設けているため、副水流用分岐水路を細く設ける必要がなく、副水流用分岐水路内壁へのスケール付着を防止できると共に、より大気泡を間欠的に安定して加速噴流に供給することができる。
【００１８】
本発明は、好ましくは、前記滞留室は、前記副水流用分岐水路に複数設けられていることを特徴とする。
【００１９】
このように構成された本発明では、副水流用分岐水路に滞留室を複数設けることによって、副水流用分岐水路内の水全体に、より進行を妨げるようとする抵抗を与えることができるため、より確実に副水流用分岐水路からの水抜けを防止することができる。
【００２０】
本発明は、好ましくは、前記滞留室には、前記流入口の軸心方向に前記流入口から流入しようとする水の進行を妨げるよう作用する壁部を設けたことを特徴とする。
【００２１】
滞留室の流入口から滞留室へ流入しようとする水は、流入口の軸心方向に進行しようとする。本発明では、流入口の軸心方向に、流入口から流入した水の進行を妨げるよう作用する壁部を設けているため、より第二通水経路部を進行しようとする水の進行を妨げるよう抵抗を与えることができ、より確実に水抜けを防止することができる。
【００２２】
本発明は、好ましくは、前記複数の滞留室における前記流入口および前記流出口はそれぞれ、上流側に隣接する前記滞留室の前記流出口および下流側に隣接する前記滞留室の前記流入口と直接接続されていることを特徴とする
【００２３】
このように構成された本発明では、複数の滞留室における流入口および流出口をそれぞれ、上流側に隣接する滞留室の流出口および下流側に隣接する滞留室の流入口と直接接続するため、滞留室間の距離が短くなり、副水流用分岐水路が短い場合であっても、より多くの滞留室を設けることができるため、より確実に副水流用分岐水路からの水抜けを防止することができる。
【発明の効果】
【００２４】
本発明の局部洗浄装置によれば、旋回流により生成された大気泡を間欠的に加速噴流に供給することで大型ポンプを用いることなく吐水に十分大きな流速変動を与えることができる構成であっても、局部洗浄装置の水路に残留する水を低減させつつ、安定して間欠的に大気泡を加速噴流に供給することが可能になる。
【図面の簡単な説明】
【００２５】
【図１】本発明の実施形態に係る局部洗浄装置を示す概略斜視図である。
【図２】図１に示す局部洗浄装置における吐水初速の変動を示す図である。
【図３】図１に示す局部洗浄装置の吐水状態を模式的に示す図である。
【図４】図１に示す局部洗浄装置が有する水溜室の概略構成を模式的に示す図である。
【図５】図４のＡ―Ａ断面を示す図である。
【図６】図４のＢ―Ｂ断面を示す図である。
【図７】図４に示す水溜室で噴流に気泡を供給する態様を説明するための図である。
【図８】図７のＣ―Ｃ断面を示す図である。
【図９】図７のＤ領域を拡大して示す図である。
【図１０】図４に示す水溜室で噴流に気泡を供給する態様を説明するための図である。
【図１１】図４に示す水溜室で噴流に気泡を供給する態様を説明するための図である。
【図１２】図１１のＦ領域を拡大して示す図である。
【図１３】図１１のＥ―Ｅ断面を示す図である。
【図１４】図４に示す水溜室で噴流に気泡を供給する態様を説明するための図である。
【図１５】図４に示す水溜室で噴流に気泡を供給する態様を説明するための図である。
【図１６】図１５のＧ―Ｇ断面を示す図である。
【図１７】本実施形態における局部洗浄装置内の水の経路の概略構成を模式的に示す図である。
【図１８】第二給水管路の変形例の中空体周辺のみを示す図である。
【発明を実施するための形態】
【００２６】
以下、添付図面を参照しながら本発明の実施の形態について説明する。説明の理解を容易にするため、各図面において同一の構成要素に対しては可能な限り同一の符号を付して、重複する説明は省略する。
【００２７】
本発明の実施形態である局部洗浄装置について説明する。本発明に係る局部洗浄装置は、人体に向けて水を吐出するものであって、大型のポンプを用いることなく、吐水に充分大きな流速変動を与えることができ、吐水から着水までの距離が短い場合であっても充分に大きな水塊を形成することが可能なものである。  図１に示すように、本発明の実施形態に係る局部洗浄装置ＷＡは、大便器ＣＢに載せて使用されるものである。局部洗浄装置ＷＡは、本体部ＷＡａと、便座ＷＡｂと、便蓋ＷＡｃと、リモコンＷＡｄとを備えている。本体部ＷＡａは、ノズルＮＺを有しており、ノズルＮＺを進退自在に保持している。本体部ＷＡａは、便座ＷＡｂ及び便蓋ＷＡｃを回動自在に保持している。
【００２８】
使用者は使用時に、便蓋ＷＡｃを図１に示すように便蓋ＷＡｃを上方に回動させ、便座ＷＡｂを露出させる。使用者は便座ＷＡｂに着座して用便をした後、リモコンＷＡｄを操作してノズルＮＺに形成された吐出口ＮＺａから吐水させ、自身の局部を洗浄する。使用者は局部洗浄後、リモコンＷＡｄを操作して吐出口ＮＺａからの吐水を停止する。その後使用者は、リモコンＷＡｄを操作して大便器ＣＢに洗浄水を流す。本実施形態では、図１に示すように、吐水ＪＷの進行方向に沿ったＪ軸と、鉛直方向に沿ったＶ軸とを設定し、このＪ軸及びＶ軸を用いながら局部洗浄装置ＷＡの吐水態様について説明する。
【００２９】
本実施形態における吐水初速の変動態様の一例を図２に示す。
【００３０】
図２に示すように、吐水初速を周期的に変動させることで、吐水初速が低い状態（図２のＦＷ）から高い状態（図２のＡＷ）に至るまでは、後続の吐水を先行する吐水に追い付かせる追い付き期間を形成している。周期的に発生する追い付き期間の間は、水塊の形成に寄与せず吐水する期間なので、本実施形態では便宜的に無駄水期間と呼称する。
【００３１】
図３に、図１に示す局部洗浄装置ＷＡの吐水状態を模式的に示す。本実施形態では、大型のポンプを使用することなく、吐水される水の流速を周期的に変動させて、大きな水塊を吐水対象部位に衝突させるように構成されている。
【００３２】
このように吐水される水の流速の変動が起こると、図３の（Ａ）に示すように、吐水ＪＷは、部位Ｗｐ１，部位Ｗｐ２，部位Ｗｐ３，部位Ｗｐ４，部位Ｗｐ５を含むものとなる。この各部位のそれぞれの流速を、Ｖ１，Ｖ２，Ｖ３，Ｖ４，Ｖ５とすると、Ｖ１（≒Ｖ５）＜Ｖ２（≒Ｖ４）＜Ｖ３となる。
【００３３】
よって、吐水直後から図３の（Ａ）〜（Ｃ）へと移行するにつれて、部位Ｗｐ３は部位Ｗｐ２より速度が大きいから、部位Ｗｐ３は部位Ｗｐ２と合体し、さらに部位Ｗｐ１と合体して大きな水塊となる。
【００３４】
このように最大流速の部位Ｗｐ３がその前の部位Ｗｐ２，部位Ｗｐ１と順次合体することにより、大きな塊となって、人体局部に着水することになる。この洗浄水は、人体局部に当たるときには、衝突エネルギ（洗浄強度）が大きい水塊状態となっている。この部位Ｗｐ３の流速Ｖ３は、最大流速であることから、脈動流で吐水された洗浄水は、合体した水塊の状態が脈動周期ごとに現れるような吐水形態で、吐出口ＮＺａから吐水されていることになる。しかも、脈動周期でこのような現象が起きることから、上記のように最大流速の部位Ｗｐ３の合体を経た水塊は繰り返し現れ、ある吐水タイミングでの水塊とその次の吐水タイミングでの部位Ｗｐ３の合体を経た水塊とはほぼ同じ速度で吐水されることになる。しかも、このそれぞれの水塊は、最大流速での部位Ｗｐ３に遅れて吐水された部位Ｗｐ４、部位Ｗｐ５で繋がれたような状態となる。
【００３５】
本実施形態に係る局部洗浄装置ＷＡは、大型のポンプを用いずに吐水の流速変化をつけ、上述したような繰り返し周期的に現れる水塊による吐水を行うものである。局部洗浄装置ＷＡは、図１に示したノズルＮＺの吐出口ＮＺａの上流側に、水溜室１０を有している。本実施形態に係る局部洗浄装置ＷＡは、水溜室１０によって気泡を供給することで吐水の流速変化をつけている。この水溜室１０の構成について、図４を参照しながら説明する。図４は、水溜室１０の概略構成を模式的に示す図である。
【００３６】
図４に示すように水溜室１０は、空気管路１０１と、第一給水管路１０２（給水路）と、吐出管路１０３と、第二給水管路１０４とを備えている。空気管路１０１、第一給水管路１０２、吐出管路１０３、及び第二給水管路１０４は、水溜室１０の内部に連通するように設けられた管路である。
【００３７】
水溜室１０は、全体としては略直方体状の箱形状を成している。水溜室１０は、一側端側に設けられた壁１０ｅと、壁１０ｆ（第２側面）と、壁１０ｇ（第３側面）と、他側端側に設けられた壁１０ｈ（第１側面）と、壁１０ｉと、壁１０ｊとを有している。図４には、壁１０ｅ，壁１０ｆ，壁１０ｇ，壁１０ｈのみが矩形を成すように描かれている。壁１０ｉと壁１０ｊとは互いに対向する位置に配置される壁であって、壁１０ｅと、壁１０ｆと、壁１０ｇと、壁１０ｈとを繋ぐように配置される壁である。
【００３８】
空気管路１０１は、水溜室１０に形成された空気導入口１０ａを介して、水溜室１０内部と連通している。空気導入口１０１は、壁１０ｇと壁１０ｈとが突き合わされる角部近傍であって、壁１０ｇの上流側端に形成されている。第一給水管路１０２は、噴射口１０ｂを介して、水溜室１０内部と連通している。噴射口１０ｂは、壁１０ｈと壁１０ｅとが突き合わされる角部近傍であって、壁１０ｈに形成されている。吐出管路１０３は、水溜室側開口１０ｃを介して、水溜室１０内部と連通している。水溜室側開口１０ｃは、壁１０ｆと壁１０ｅとが突き合わされる角部近傍であって、壁１０ｆに形成されている。第二給水管路１０４は、副水流導入口１０ｄを介して、水溜室１０内部と連通している。副水流導入口１０ｄは、壁１０ｆと壁１０ｇとが突き合わされる角部近傍であって、壁１０ｆに形成されている。
【００３９】
空気管路１０１は、空気導入口１０ａと大気開放された開口とを繋ぐ管路である。空気管路１０１から導入される空気は、空気導入口１０ａから水溜室１０の内部に引き込まれる。水溜室１０の内部に引きこまれた空気は、気泡ＢＡを形成している。第一給水管路１０２は、噴射口１０ｂと給水源とを繋ぐ管路である。第一給水管路１０２は、その管路の途上若しくは噴射口１０ｂにおいて縮径されている。従って、第一給水管路１０２から供給される水は、その速度が高められ噴流ＷＳｍとして水溜室１０内に噴射される。
【００４０】
吐出管路１０３は、水溜室側開口１０ｃとノズルＮＺ（図１参照）に形成された吐出口ＮＺａとを繋ぐ管路である。本実施形態の場合、噴射口１０ｂと水溜室側開口１０ｃとは対向配置されている。従って、噴射口１０ｂから水溜室１０内に噴射される噴流ＷＳｍは、水溜室１０内をJ軸に沿って進行し、水溜室側開口１０ｃから吐出管路１０３に入る。吐出管路１０３に入った水は、J軸に沿って吐出管路１０３内を進行し、吐出口ＮＺａから外部へと吐出される。
【００４１】
第二給水管路１０４は、第一給水管路１０２から分岐して設けられており、第一給水管路１０２と副水流導入口１０ｄとを繋ぐ管路である。第二給水管路１０４は、副水流導入口１０ｄを介して、水溜室１０内部と連通している。第二給水管路１０４から供給される水の少なくとも一部は、水溜室１０内において旋回流である副水流ＷＳｓを形成する。
【００４２】
上述したように、噴射口１０ｂから水溜室１０内に噴射される噴流ＷＳｍは、水溜室１０内をJ軸に沿って進行し、水溜室側開口１０ｃから吐出管路１０３に入る。従って、噴射口１０ｂから吐出口ＮＺａに至る噴流ＷＳｍが通過する経路である第一通水経路部１０５が形成される。本実施形態の場合、第一通水経路部１０５は、噴射口１０ｂと水溜室側開口１０ｃとを繋ぐ経路である。
【００４３】
水溜室１０内の第一通水経路部１０５を除いた残余の領域は、水溜部１０６となっている。水溜部１０６は、第一通水経路部１０５に隣接させて溜水ＰＷを形成するための部分である。本実施形態の場合、水溜部１０６は、第一通水経路部１０５を囲むように形成されている。本実施形態の場合、噴射口１０ｂ及び水溜室側開口１０ｃは、矩形となっている水溜室１０の一辺側に近接させて配置されている。一方、空気導入口１０ａ及び副水流導入口１０ｄは、矩形となっている水溜室１０の他辺側に近接配置されている。従って、噴射口１０ｂ及び水溜室側開口１０ｃと、空気導入口１０ａ及び副水流導入口１０ｄとは、離隔配置されている。
【００４４】
図４のＡ―Ａ断面を図５に示し、図４のＢ―Ｂ断面を図６に示す。図４に示す状態では、噴流ＷＳｍは、溜水ＰＷの中を進行しており、図５に示すように溜水ＰＷからの抵抗を受けながら水溜室側開口１０ｃに向かっている。水溜室側開口１０ｃに至った噴流ＷＳｍは、吐出管路１０３内に入り、図６に示すように吐出管路１０３の内壁面と接触した状態で進行している。図４に示す状態では、気泡ＢＡは小さい。図４に示す状態から更に時間が進行すると、図７に示すように細長形状に気泡ＢＡが成長する。気泡ＢＡは、噴流ＷＳｍにその下端が近づくまで成長している。従って、副水流ＷＳｓが旋回可能な領域は、図４に示す状態よりは狭まっている。副水流ＷＳｓは、旋回流速が速くなり、且つ噴流ＷＳｍの流れを阻害しない方向に旋回している。図７のＣ―Ｃ断面を図８に、図７のＤ領域を図９にそれぞれ示す。
【００４５】
図８に示すように、細長形状の気泡ＢＡは、水溜室１０の空気導入口１０ａから噴射口１０ｂに向かって伸びる４つの壁１０ｈ，１０ｉ，１０ｊ，１０ｆの内の３つの壁１０ｈ，１０ｉ，１０ｊに接触して成長している。従って、副水流ＷＳｓに接触する面は、副水流導入口１０ｄに向かう面のみとなっている。
【００４６】
図９に示すように、細長形状に成長した気泡ＢＡは、鉛直方向であるＶ軸方向に浮力が作用する。副水流ＷＳｓは、この浮力に抗するように気泡ＢＡに作用している。従って、気泡ＢＡは、水溜室１０の空気導入口１０ａから噴射口１０ｂに向かって伸びる４つの壁１０ｈ，１０ｉ，１０ｊ，１０ｆの内の３つの壁１０ｈ，１０ｉ，１０ｊに接触した状態を保つことができる。
【００４７】
細長形状の気泡ＢＡの成長という観点からは、壁１０ｈ，１０ｉ，１０ｊは、気泡ＢＡを空気導入口１０ａから第一通水経路部１０５に導くガイド面として機能している。副水流ＷＳｓは、気泡ＢＡがガイド面である壁１０ｈ，１０ｉ，１０ｊから離隔しないように、壁１０ｈ，１０ｉ，１０ｊに向けて気泡ＢＡを押し付ける力を発生させ、細長形状に気泡を成長させる押圧力付与手段として機能している。本実施形態では、空気導入口１０ａ側から第一通水経路部１０５側に至るガイド面の長さは、噴射口１０ｂから吐出口１０ｃに至る通水経路部１０５の長さよりも長くなるように構成されていることも好ましい。
【００４８】
図７に示す状態から更に時間が進行すると、図１０に示すように細長形状の気泡ＢＡが噴流ＷＳｍに近づき干渉し始める。気泡ＢＡは、噴流ＷＳｍに引っ張られ、通水経路部１０５に入り込む。従って、気泡ＢＡが入り込んだ分の水が押し退けられることになり、副水流ＷＳｓの旋回流速が速くなる。旋回流速が高まった副水流ＷＳｓは、気泡ＢＡを引きちぎることになる。
【００４９】
図１０に示す状態から更に時間が進行すると、図１１に示すように気泡ＢＡが噴流ＷＳｍに完全に引き込まれ、気泡ＢＡは第一通水経路部１０５の略全域に渡って存在する。図１１のＦ領域を図１２に、図１１のＥ―Ｅ断面を図１３にそれぞれ示す。
【００５０】
図１２の（Ａ）に示すように、気泡ＢＡは第一通水経路部１０５の略全域に渡って存在するので、噴射口１０ｂの近傍まで存在する。従って、噴射口１０ｂの近傍に存在する水の量が減り、噴射口１０ｂの近傍における渦流の発生が抑制される。気泡ＢＡが噴射口１０ｂから離れた位置に形成される場合には、図１２の（Ｂ）に示すような状態になる。図１２の（Ｂ）に示す状態では、噴射口１０ｂの近傍に水が多く存在し、渦流が多く発生している。渦流の発生は噴流ＷＳｍの進行に抵抗となるので、図１２の（Ａ）に示すように渦流を抑制することで、噴流ＷＳｍの速度を低下させずに吐出口ＮＺａに向かわせることができる。
【００５１】
図１３に示すように、噴流ＷＳｍは気泡ＢＡを貫通している。このように噴流ＷＳｍが気泡ＢＡを貫通することで、噴流ＷＳｍ周りの抵抗が低下し、噴流ＷＳｍは速度を低下させずに吐出口ＮＺａに向かうことができる。もっとも、図１３に例示するような、噴流ＷＳｍが気泡ＢＡを完全に貫通する状態が必須なものではなく、噴流ＷＳｍの周囲の多くの部分を気泡ＢＡによって囲むことができればよく、一部において溜水ＰＷと接触する状態であっても構わないものである。
【００５２】
図１１に示す状態から更に時間が進行すると、図１４に示すように気泡ＢＡが噴流ＷＳｍに引き込まれるように吐出管路１０３に向かう。気泡ＢＡは、第一通水経路部１０５よりも広い流路断面積となるように形成されているので、水溜室側開口１０ｃの外周に引っかかりながら吐出管路１０３に向かう。このように水溜室側開口１０ｃの外周に引っかかった気泡ＢＡは、噴流ＷＳｍによって後方から押し込まれたり、溜水ＰＷからの圧力を受けて押し込まれたりしながら、吐出管路１０３に入っていくことになる。
【００５３】
図１４に示す状態から更に時間が進行すると、図１５に示すように気泡ＢＡが吐出管路１０３に入り込む。図１６に、図１５のＧ―Ｇ断面を示す。図１６に示すように、気泡ＢＡが吐出管路１０３内に入り込むと、吐出管路１０３の内壁に沿って空気の膜を形成し、噴流ＷＳｍはその膜の中を進行する。従って、噴流ＷＳｍが吐出管路１０３の内壁から受ける抵抗が減少し、噴流ＷＳｍは減速されずに吐出口ＮＺａに向かう。もっとも、図１１に例示するような、噴流ＷＳｍを気泡ＢＡが完全に包むような状態が必須なものではなく、噴流ＷＳｍの周囲の多くの部分を気泡ＢＡによって囲むことができればよく、一部にお
いて吐出管路１０３と接触する状態であっても構わないものである。
【００５４】
図１５に示す状態から気泡ＢＡが更に吐出管路１０３の下流側に進行すると、次の気泡ＢＡが空気管路１０１から取り込まれ、図４の状態に戻る。本実施形態では、図４〜図１６を参照しながらした説明による気泡ＢＡの動きが周期的に繰り返される。
【００５５】
また本実施形態では、先に生成した大気泡ＢＡが第一通水経路部１０５に到達する時点から、その到達した大気泡ＢＡの全体が第一通水経路部１０５から排出される時点までの第一時間よりも、先に生成した大気泡ＢＡが第一通水経路部１０５に到達する時点から、次に生成した大気泡ＢＡが第一通水経路部１０５に到達する時点までの第二時間が長くなるように構成されている。
【００５６】
このように、第一時間よりも第二時間が長くなるように構成しているので、先に生成した大気泡ＢＡが第一通水経路部１０５に到達する時点を基準として、次に生成した大気泡ＢＡが第一通水経路部１０５に到達する時点では、必ず先に生成した大気泡ＢＡが通水経路部１０５から排出されるものとすることができる。従って、第一通水経路部１０５が水で満たされた第二通水状態を確実に生じさせることができる。
【００５７】
また本実施形態ではでは、副水流ＷＳｓによって、大気泡ＢＡを第一通水経路部１０５に導くものであって、水溜室１０内に空気を導入する空気導入口１０ａと、副水流ＷＳｓによって空気導入口１０ａから第一通水経路部１０５へと導かれる大気泡ＢＡの移動の抵抗となる抵抗手段としてのガイド面である、壁１０ｈ，１０ｉ，１０ｊを設けており、気泡ＢＡを空気導入口１０ａから第一通水経路部１０５に導くガイド面として機能している。
【００５８】
上述した第二時間を長く確保するためには、空気導入口１０ａから導入した空気を極力ゆっくりと第一通水経路部１０５に供給する必要がある。しかしながら、水溜室１０内は噴流ＷＳｍの影響を受けて副水流ＷＳｓが発生するので、副水流ＷＳｓによって大気泡ＢＡは第一通水経路部１０５に導かれる。そのため、大気泡ＢＡが意図したタイミングよりも早く通水経路部１０５に導かれる場合あり、第二通水状態を完全に実現できない場合も想定される。そこでこの好ましい態様では、副水流によって第一通水経路部１０５に導かれる大気泡ＢＡの抵抗となる抵抗手段としてのガイド面を設けることで、大気泡ＢＡの移動速度を適度なものに調整し、第一通水経路部１０５が水で満たされる第二通水状態を確実に生じさせるものとしている。
【００５９】
また本実施形態ではガイド面である壁１０ｈ，１０ｉ，１０ｊに大気泡ＢＡを押し付けながら大気泡ＢＡを第一通水経路部１０５に導くので、ガイド面と大気泡ＢＡとの間に生じる摩擦力を利用し、空気導入口１０ａ側から第一通水経路部１０５にかけて継続的に大気泡ＢＡの移動速度を調整することができる。
【００６０】
また本実施形態では、ガイド面である壁１０ｈ，１０ｉ，１０ｊに大気泡ＢＡを押し付けるものとして副水流ＷＳｓを利用しているので、別途ガイド面に対して大気泡ＢＡを押し付ける手段を設けることなく、大気泡ＢＡの移動速度を確実に調整することができる。
【００６１】
また本実施形態では、空気導入口１０ａの近傍と噴射口１０ｂの近傍とを滑らかな連続面で繋いでいるので、大気泡ＢＡがガイド面に接触した状態をより確実に維持し続けることができる。
【００６２】
また本実施形態では、大気泡ＢＡが空気導入口１０ａと連通された状態を維持するので、大気泡ＢＡと副水流ＷＳｓとはその連通された部分以外の部分において接触することになり、大気泡ＢＡと副水流ＷＳｓとの接触面積が小さくなる。よって、大気泡ＢＡが通水経路部１０５に移動する速度を遅くすることができるので、第一通水経路部１０５が水で満たされた第二通水状態を確実に生じさせることができる。
【００６３】
上述したように本実施形態に係る局部洗浄装置ＷＡは、人体に向けて水を吐出するものであり、水を供給する給水路である第一給水管路１０２と、第一給水管路１０２から供給された水を下流側に向けて噴流ＷＳｍとして噴射する噴射口１０ｂと、噴射口１０ｂの下流側に設けられ、噴流ＷＳｍを外部に吐出する吐出口ＮＺａと、噴射口１０ｂと吐出口ＮＺａとの間に設けられ、噴射口１０ｂから吐出口ＮＺａに至る噴流ＷＳｍが通過する経路である第一通水経路部１０５及び第一通水経路部１０５に隣接させて溜水ＰＷを形成するための水溜部１０６を有する水溜室１０と、第一通水経路部１０５に空気を泡状にした気泡ＢＡを供給する気泡供給手段の少なくとも一部の機能を発揮する空気導入口１０ａと、を備える。
【００６４】
気泡供給手段は、噴射口１０ｂから水溜室１０内を見たときに、噴射口１０ｂの流路断面積よりも大きな断面積となる大気泡ＢＡを生成するものであって（図１３参照）、この大気泡ＢＡを間欠的に形成することで、大気泡ＢＡの中を噴流ＷＳｍが貫通する第一通水状態（図１１参照）と、水の中を噴流ＷＳｍが通過する第二通水状態（図４，図７等参照）とを交互に繰り返し発生させ、第一通水経路部１０５における噴流ＷＳｍの通水抵抗を変動させる。
【００６５】
本実施形態では、噴射口１０ｂの流路断面積よりも大きな断面積となる大気泡ＢＡを間欠的に形成するので、大気泡ＢＡの中を噴流ＷＳｍが貫通する第一通水状態と、水の中を噴流ＷＳｍが通過する第二通水状態とを交互に繰り返し発生させることができる。第一通水状態では、大気泡ＢＡの中を噴流ＷＳｍが貫通するので、噴流ＷＳｍの周囲は空気が多く存在し、噴流ＷＳｍを減速させる抵抗が弱く、噴流ＷＳｍの速度は保たれたまま吐出口ＮＺａに向かう。
【００６６】
一方、第二通水状態では、水の中を噴流ＷＳｍが通過するので、噴流ＷＳｍの周囲は水が取り囲み、噴流ＷＳｍを減速させる抵抗が強く、噴流ＷＳｍの速度が落ちながら吐出口ＮＺａに向かう。従って、第一通水状態と第二通水状態とを交互に繰り返し発生させることで、吐出口ＮＺａに向かう噴流ＷＳｍの速度を大きく変動させて吐水に大きな流速変動を与えることができ、吐水から着水までの距離が短い場合であっても充分に大きな水塊を形成することができる。
【００６７】
また本実施形態では、噴流ＷＳｍの断面積が大気泡ＢＡの断面積よりも小さくなるように、噴流ＷＳｍが縮流されて噴射口１０ｂから噴出される。このように、噴流ＷＳｍが縮流されて噴射口１０ｂから噴出されるので、噴流ＷＳｍの拡散が抑制され確実にその断面積をコントロールすることができる。従って、噴流ＷＳｍの断面積が大気泡ＢＡの断面積よりも小さくなる状態を確実に形成することができ、第一通水状態を確実に実現することができるため、吐水に大きな流速変動を与えることができる。
【００６８】
また本実施形態では、気泡供給手段は、第一通水経路部１０５の噴射口１０ｂ寄りに大気泡ＢＡを供給する。このように、第一通水経路部１０５の噴射口１０ｂ寄りに大気泡ＢＡを供給するので、その大気泡ＢＡは貫通する噴流ＷＳｍによって吐出口ＮＺａ側に引き伸ばされる。従って、噴射口１０ｂ寄りに大気泡ＢＡを供給するという簡便な方法で、大気泡ＢＡを噴射口１０ｂ側から吐出口ＮＺａ側までの長い範囲に存在させることができる。その結果、大気泡ＢＡを貫通する噴流の長さが長くなり、第一通水状態における噴流ＷＳｍの減速をより確実に回避することができ、第一通水状態を確実に実現することができるため、吐水に大きな流速変動を与えることができる。
【００６９】
また本実施形態では、気泡供給手段は、噴射口１０ｂを覆うように大気泡ＢＡを供給する（図１２参照）。このように、噴射口１０ｂを覆うように大気泡ＢＡを供給することで、噴射口１０ｂの近傍を空気で覆うことができる。従って、第一通水状態においては、噴射口１０ｂの周囲における渦の発生が抑制され、渦の発生に伴う噴流ＷＳｍの乱れを抑制することができる。その結果、噴流ＷＳｍの進行が安定し、第一通水状態を確実に実現することができるため、吐水に大きな流速変動を与えることができる。
【００７０】
また本実施形態では、外部から水溜室１０に空気を取り込むために空気導入口１０ａが設けられると共に、空気導入口１０ａの近傍に、空気導入口１０ａ側から通水経路部１０５側に向けて延び、気泡ＢＡの成長を促進させるガイド面としての水溜室１０の内壁面が設けられている（図８参照）。
【００７１】
空気導入口１０ａから水溜室１０内に取り込まれた空気は、大気泡ＢＡとなる前に水溜室１０内の水流によって空気導入口１０ａから引き離され、ちぎれてしまう傾向がある。そこで、空気導入口１０ａから取り込まれた泡状の空気を、近傍に設けられたガイド面としての内壁面によって支持するため、水勢を受けても安定的に成長が促進され、確実に大気泡ＢＡに成長させることができる。従って、第一通水状態を確実に実現することができるため、吐水に大きな流速変動を与えることができる。
【００７２】
また、本実施形態の気泡供給手段は、吐出管路１０３内に噴射口１０ｂの流路断面積よりも大きな断面積となる大気泡ＢＡを生成するものであって、この大気泡ＢＡを間欠的に形成することで、大気泡ＢＡによって吐出管路１０３の内壁面に沿って形成される空気層の中を噴流ＷＳｍが通過する第一通水状態（図１６参照）と、水溜室１０から吐出管路１０３に供給される水の中を噴流ＷＳｍが通過する第二通水状態（図６参照）とを交互に繰り返し発生させ、吐出管路１０３内を流れる水と吐出管路１０３の内壁面との接触面積を変動させる。
【００７３】
この観点によれば、気泡供給手段が噴射口１０ｂの流路断面積よりも大きな断面積となる大気泡ＢＡを間欠的に生成して吐出管路１０３に供給するので、吐出管路１０３の内壁面に沿って形成される空気層の中を噴流ＷＳｍが通過する第一通水状態と、水溜室１０から吐出管路１０３に供給される水の中を噴流ＷＳｍが通過する第二通水状態とを交互に繰り返し発生させることができる。第一通水状態では、吐出管路１０３内に形成される空気層の中を噴流ＷＳｍが通過するので、吐出管路１０３の内壁面と噴流ＷＳｍとの接触面積が小さくなり、吐出管路１０３内を進行する噴流ＷＳｍが受ける摩擦抵抗が小さくなる。一方、第二通水状態では、水溜室１０から供給される水の中を噴流ＷＳｍが通過するので、吐出管路１０３の内壁面と噴流ＷＳｍを含む水との接触面積が大きくなり、吐出管路１０３内を進行する噴流ＷＳｍが受ける摩擦抵抗が大きくなる。従って、第一通水状態と第二通水状態とを交互に繰り返し発生させることで、吐出管路１０３内を流れる水と吐出管路１０３の内壁面との接触面積を変動させる。その摩擦抵抗の変動によって、吐出口ＮＺａに向かう噴流ＷＳｍの速度を大きく変動させて吐水に大きな流速変動を与えることができ、吐水から着水までの距離が短い場合であっても充分に大きな水塊を形成することができる。
【００７４】
更に、第一通水状態において、吐出管路１０３内に形成される空気層の中を噴流ＷＳｍが通過するので、吐出管路１０３内の水全体の流れに着目すれば、第二通水状態よりも実質的な流路断面積が減少する。従って、第一通水状態において吐出管路１０３を通過する噴流ＷＳｍの速度が、第二通水状態において吐出管路１０３を通過する水の速度よりも高くなる要因の一つとなる。前述したような摩擦抵抗の変動による吐水の流速変動に、流路断面積の変動による吐水の流速変動効果も加わって、吐水により大きな流速変動を与えることができる。
【００７５】
また本実施形態では、気泡供給手段は、大気泡ＢＡを生成することで、吐出管路１０３内を通過する噴流ＷＳｍを、その進行方向に沿って囲むように内壁面に沿った管状の空気層を形成している。このように、噴流ＷＳｍをその進行方向に沿って囲むように内壁面に沿った管状の空気層が形成されるので、噴流ＷＳｍと吐出管路１０３の内壁面との接触面積をより低減させることができる。従って、第一通水状態における噴流ＷＳｍの速度を、第二通類状態における水の速度よりも充分に高めることができ、吐水により大きな流速変動を与えることができる。
【００７６】
また本実施形態では、気泡供給手段は、第一通水経路部１０５から吐出管路１０３に大気泡ＢＡを供給するものであって、吐出管路１０３が水溜室１０に臨む開口である水溜室側開口１０ｃの外周を覆うように大気泡ＢＡを供給する。
【００７７】
このように、吐出管路１０３が水溜室１０に臨む開口である水溜室側開口１０ｃの外周を覆うように第一通水経路部１０５側から大気泡ＢＡを供給するので、吐出管路１０３の内壁面に沿わせるように大気泡ＢＡを送り込むことができる。従って、吐出管路１０３の内壁面に沿った管状の空気層が形成しやすくなり、吐水に大きな流速変動を与えることができる。
【００７８】
また本実施形態では、気泡供給手段は、第一通水経路部１０５から吐出管路１０３に大気泡ＢＡを供給するものであって、吐出管路１０３側から第一通水経路部１０５側を見た場合に、吐出管路１０３の流路断面積よりも大きな断面積となるように大気泡ＢＡを供給する。
【００７９】
このように、吐出管路１０３の流路断面積よりも大きな断面積となるように大気泡ＢＡを供給するので、吐出管路１０３の内壁面に大気泡ＢＡを確実に沿わせながら送り込むことができる。従って、吐出管路１０３の内壁面に沿った管状の空気層をより確実に形成しやすくなり、吐水に大きな流速変動を与えることができる。
【００８０】
また本実施形態では、気泡供給手段は、第一通水経路部１０５から吐出管路１０３に大気泡ＢＡを供給する際に、一時的に滞留させて供給する。このように、第一通水経路部１０５から吐出管路１０３に大気泡ＢＡを供給する際に、一時的に滞留させて供給するので、吐出管路１０３の内壁面に大気泡ＢＡを添わせやすくなる。従って、吐出管路１０３の内壁面に沿った管状の空気層をより確実且つ容易に形成しやすくなり、吐水に大きな流速変動を与えることができる。
【００８１】
また本実施形態では、気泡供給手段は、吐出管路１０３の噴流ＷＳｍの進行方向に沿った長さと略同等の長さに空気層が形成されるように、大気泡ＢＡを生成して供給することも好ましいものである。この好ましい態様では、吐出管路１０３の全長に渡って空気層が形成されるように大気泡ＢＡを供給するので、水溜室１０から吐出口ＮＺａに至るまで管状の空気層を形成することができる。従って、第一通水状態において、水溜室１０から吐出口ＮＺａに至るまでに噴流ＷＳｍが受ける摩擦抵抗を極めて小さくすることができ、吐水に大きな流速変動を与えることができる。
【００８２】
また本実施形態では、噴射口１０ｂから噴射される噴流ＷＳｍの中心軸が、吐出管路１０３の中心軸と略同一直線上に位置するように、噴射口１０ｂ及び吐出管路１０３が配置されており、噴射口１０ｂの流路断面積よりも吐出管路１０３の流路断面積が大きくなるように形成されている。
【００８３】
このように、噴射口１０ｂから噴射される噴流ＷＳｍの中心軸が、吐出管路１０３の中心軸と略同一直線上に位置するように配置されているので、吐出管路１０３の中心と吐出管路１０３に突入する噴流ＷＳｍの中心とを揃えることができる。更に、噴射口１０ｂの流路断面積よりも吐出管路１０３の流路断面積が大きくなるように形成されているので、噴流ＷＳｍと吐出管路１０３の内壁面との間の隙間を確実に保つことができる。従って、その隙間に管状の空気層を形成することができ、管状の空気層の中に確実に噴流ＷＳｍを通すことができる。
【００８４】
また、本実施形態の気泡供給手段は、空気導入口１０ａから水溜室１０内に導入した空気を、時間経過と共に泡状に大きく成長させ、その気泡ＢＡが所定の大きさになった段階で大気泡ＢＡとして第一通水経路部１０５に供給するものであって、更に、空気導入口１０ａから導入した空気が大気泡ＢＡとなって第一通水経路部１０５に供給されるまでは、空気導入口１０ａと気泡ＢＡとが連通した状態を維持することが可能な比較的低い流速の副水流ＷＳｓを水溜室１０内に形成する第一水流状態（図４，図７参照）と、空気導入口１０ａから導入した空気が大気泡ＢＡとなって第一通水経路部１０５に供給されるように、空気導入口１０ａから気泡ＢＡを切り離すことが可能な比較的高い流速の副水流ＷＳｓを水溜室１０内に形成する第二水流状態（図１０参照）と、を交互に繰り返し発生させる。
【００８５】
この観点によれば、第一水流状態では、空気導入口１０ａと気泡ＢＡとが連通した状態を維持することが可能な比較的低い流速の副水流ＷＳｓを水溜室１０内に形成するので、空気導入口１０ａから導入した空気が形成する気泡ＢＡを引きちぎることなく成長させることができる。一方、第二水流状態では、空気導入口１０ａから導入した空気が大気泡ＢＡとなって第一通水経路部１０５に供給されるように、空気導入口１０ａから気泡ＢＡを切り離すことが可能な比較的高い流速の副水流ＷＳｓを水溜室１０内に形成するので、第一水流状態で成長した気泡ＢＡを切り離して大気泡ＢＡとして第一通水経路部１０５に供給することができる。このような第一水流状態と第二水流状態とを交互に繰り返し発生させることで、大気泡ＢＡが噴流ＷＳｍに供給されない期間と、大気泡ＢＡが噴流ＷＳｍに供給される期間とを交互に繰り返し発生させることができる。大気泡ＢＡが噴流ＷＳｍに供給される期間においては、噴流ＷＳｍの速度は保たれたまま吐出口ＮＺａに向かう。一方、大気泡ＢＡが噴流ＷＳｍに供給されない期間においては、噴流ＷＳｍの速度が落ちながら吐出口ＮＺａに向かう。従って、第一水流状態と第二水流状態とを交互に繰り返し発生させることで、吐出口ＮＺａに向かう噴流ＷＳｍの速度を大きく変動させて吐水に大きな流速変動を与えることができ、吐水から着水までの距離が短い場合であっても充分に大きな水塊を形成することができる。
【００８６】
また本実施形態では、水溜室１０に、空気導入口１０ａ側から第一通水経路部１０５側に向けて延び、気泡ＢＡの成長を促進させるガイド面として機能する水溜室１０の内壁が設けられ、気泡供給手段は、空気導入口１０ａから導入した空気が形成する気泡ＢＡをガイド面としての内壁に接触させた状態を保ちながら第一通水経路部１０５近傍まで導いている（図７及び図８参照）。
【００８７】
空気と水の境界である気液界面は、空気と水それぞれが互いに作用させる力のバランスによって形成されるため変形しやすく、力のバランスが崩れると気液界面も崩れる。従って、気泡ＢＡを成長させる期間である第一水流状態においては、空気と水とが接触する気液界面の面積を極力小さく保つことが、安定して気泡ＢＡを成長させるために必要である。そこで、空気導入口１０ａから導入した空気が形成する気泡ＢＡをガイド面としての内壁に接触させた状態を保つことで、空気導入口１０ａ側から第一通水経路部１０５側にかけて気液界面の面積を減少させ、空気導入口１０ａと成長中の気泡ＢＡとの連通状態を維持し、安定した気泡成長を促進することが可能となる。
【００８８】
また本実施形態では、気泡供給手段は、第一水流状態における副水流ＷＳｓによって、空気導入口から導入した空気が形成する気泡ＢＡをガイド面としての内壁に向けて押し付けながら第一通水経路部１０５近傍まで導いている（図７及び図９参照）。
【００８９】
水溜室１０内においては、噴流ＷＳｍが噴射口１０ｂから吐出口ＮＺａに向けて噴射されているため負圧が発生している。この負圧は水溜室１０内に形成される気泡ＢＡに作用するため、気泡ＢＡはガイド面である壁面から引き離される力を受ける可能性がある。そこで、第一水流状態における副水流ＷＳｓによって気泡ＢＡをガイド面としての壁面に向けて押し付けるので、負圧が作用しても気泡ＢＡがガイド面としての壁面から引き離されることがなく、空気導入口１０ａ側から第一通水経路部１０５側にかけて気液界面の面積を減少させ、空気導入口１０ａと成長中の気泡ＢＡとの連通状態を維持し、安定した気泡成長を促進することが可能となる。
【００９０】
また本実施形態では、気泡供給手段は、第一水流状態における副水流ＷＳｓによって、空気導入口１０ａから導入した空気が形成する気泡ＢＡをその気泡ＢＡに作用する浮力に抗する方向に押し付けながら第一通水経路部１０５近傍まで導いている（図９参照）。
【００９１】
このように、成長中の気泡ＢＡに作用する浮力と、その浮力に抗する方向に気泡ＢＡを押し付けるように形成する副水流ＷＳｓとをバランスさせるので、安定して気泡ＢＡを成長させることができる。例えば、第一水流状態における副水流ＷＳｓの流速がやや高めになったとしても、副水流ＷＳｓが気泡ＢＡをガイド面としての壁面に押し付ける力の余剰分を気泡ＢＡの浮力によって減じることができるので、副水流ＷＳｓによる過度の影響を排除することが可能になり、空気導入口１０ａと成長中の気泡ＢＡとの連通状態を維持し、安定した気泡成長を促進することが可能となる。
【００９２】
また本実施形態では、ガイド面は、気泡が押し付けられる第一面と、第一面を挟んで対向配置された第二面及び第三面を有するものである（図８参照）。このように、ガイド面を第一面と第二面と第三面とで構成するので、空気導入口１０ａから導入した空気が形成する気泡ＢＡを、第一面に押し付けながら第二面及び第三面にも接触させることができる。従って、副水流ＷＳｓと気泡ＢＡとが接触する気液界面の面積を減じることができ、空気導入口１０ａと成長中の気泡ＢＡとの連通状態を維持し、安定した気泡成長を促進することが可能となる。
【００９３】
また本実施形態では、副水流は、噴射口１０ｂとは別個独立して形成されてなる副水流導入口１０ｄから水溜室１０内に導入されている。このように、噴射口１０ｂとは別個独立して形成されてなる副水流導入口１０ｄから副水流ＷＳｓを導入するので、噴射口１０ｂから導入される水を分離して副水流ＷＳｓとする場合に比較して、副水流ＷＳｓの流速をより低速に制御することが容易になる。従って、空気導入口１０ａと成長中の気泡ＢＡとの連通状態を維持し、安定した気泡成長を促進することが可能となる。
【００９４】
また本実施形態では、副水流ＷＳｓは、噴流ＷＳｍと干渉しない状態で、空気導入口１０ａから導入した空気が形成する気泡ＢＡをガイド面に押し付ける。このように、副水流ＷＳｓを噴流ＷＳｍと干渉しない状態で気泡ＢＡに作用させるため、噴流ＷＳｍの作用によって副水流ＷＳｓが加速されることがない。従って、第一水流状態において副水流ＷＳｓが過度に加速され気泡ＢＡを引きちぎることがなくなり、空気導入口１０ａと成長中の気泡ＢＡとの連通状態を維持し、安定した気泡成長を促進することが可能となる。
【００９５】
また本実施形態では、空気導入口１０ａの大きさは、空気導入口１０ａから導入した空気が形成する気泡ＢＡが、第一水流状態における副水流ＷＳｓによっては空気導入口１０ａとの連通状態が断たれないような大きさとなるように設定されている。
【００９６】
第一水流状態において気泡を成長する際に、気泡ＢＡと副水流ＷＳｓとが接触すると、気泡ＢＡは変形する。そこで、第一水流状態における副水流ＷＳｓによっては空気導入口１０ａとの連通状態が断たれないような大きさとなるように、空気導入口１０ａの大きさを設定しているので、副水流ＷＳｓの作用によって気泡ＢＡが変形したとしても空気導入口１０ａと成長中の気泡ＢＡとの連通状態を維持し、大気泡ＢＡを供給することができる。
【００９７】
また、本実施形態の気泡供給手段は、噴射口１０ｂから水溜室１０内を見たときに、噴射口１０ｂの流路断面積よりも大きな断面積となる大気泡ＢＡを生成するものであって、この大気泡ＢＡを間欠的に形成して第一通水経路部１０５に供給することで、噴流ＷＳｍを加圧して加速させる第一状態と、噴流ＷＳｍを加速させない第二状態とを交互に繰り返し発生させる。
【００９８】
この観点によれば、気泡供給手段が噴射口１０ｂの流路断面積よりも大きな断面積となる大気泡ＢＡを間欠的に形成するので、噴流ＷＳｍを加圧して加速させる第一状態と、噴流を加速させない第二状態とを交互に繰り返し発生させることができる。第一状態では、噴流ＷＳｍを加圧して加速させるので、噴流ＷＳｍの速度は増加しながら吐出口ＮＺａに向かう。一方、第二状態では、噴流ＷＳｍを加速させないので、噴流ＷＳｍの速度は増加せずに吐出口ＮＺａに向かう。従って、第一状態と第二状態とを交互に繰り返し発生させることで、吐出口ＮＺａに向かう噴流ＷＳｍの速度を大きく変動させて吐水に大きな流速変動を与えることができ、吐水から着水までの距離が短い場合であっても充分に大きな水塊を形成することができる。
【００９９】
また本実施形態では、第一状態において、第一通水経路部１０５に供給された大気泡ＢＡよりも上流側から噴流ＷＳｍによって大気泡ＢＡを加圧し、この加圧された大気泡ＢＡがその下流側の噴流ＷＳｍを加圧して加速させている（図１４参照）。このように、噴流ＷＳｍによって加圧された大気泡ＢＡが更に下流側の噴流ＷＳｍを加圧するので、第一状態において噴流ＷＳｍがより加速され、噴流ＷＳｍの速度を大きく変動させて吐水に大きな流速変動を与えることができる。
【０１００】
また本実施形態では、第一状態において、第一通水経路部１０５に供給された大気泡ＢＡが吐出口ＮＺａから排出される際に、吐出口ＮＺａから吐出される噴流ＷＳｍを加圧して加速させている。このように、第一通水経路部１０５に供給された大気泡ＢＡが吐出口ＮＺａから排出される際に大気開放されて吹き出す力を利用し、吐出口ＮＺａから吐出される噴流ＷＳｍを加圧して加速するので、第一状態において噴流ＷＳｍがより加速され、噴流ＷＳｍの速度を大きく変動させて吐水に大きな流速変動を与えることができる。
【０１０１】
また本実施形態では、第一状態において、第一通水経路部１０５に供給された大気泡ＢＡが吐出口ＮＺａに向かって排出される際に、水溜室１０から吐出口ＮＺａに向かう吐出管路１０３の水溜室側開口１０ｃを覆う大きさとなるように大気泡ＢＡを供給する。
【０１０２】
このように、水溜室１０から吐出口ＮＺａに向けて排出される際に水溜室側開口１０ｃを覆う大きさとなるように大気泡ＢＡが供給されるので、大気泡ＢＡは抵抗なく排出されずに一時的に水溜室側開口１０ｃから抵抗を受けながら排出される。従って、その過程において噴流ＷＳｍから大気泡ＢＡが圧力を受け、大気泡ＢＡの内部圧力が高まる。結果として、第一状態において噴流ＷＳｍが大気泡ＢＡからより大きな圧力を受けて加圧され加速することになり、噴流ＷＳｍの速度を大きく変動させて吐水に大きな流速変動を与えることができる。
【０１０３】
また本実施形態では、第一状態において、通水経路部の水溜室側開口１０ｃ寄りに大気泡ＢＡを供給することも好ましい。この好ましい態様では、大気泡ＢＡを水溜室側開口１０ｃ寄りに供給するので、気泡ＢＡが分裂することなく確実に大きな気泡のまま水溜室側開口１０ｃに至る。従って、大気泡ＢＡの内部圧力を確実に高め、第一状態において噴流ＷＳｍが大気泡ＢＡからより大きな圧力を受けて加圧され加速することになり、噴流ＷＳｍの速度を大きく変動させて吐水に大きな流速変動を与えることができる。
【０１０４】
また、本実施形態における気泡供給手段は、空気導入口１０ａから導入した空気によって形成され水溜部１０６に一時的に留まる気泡である停留気泡としての気泡ＢＡの大きさを変更するものであって、停留気泡としての気泡ＢＡを大きくすることで水溜部１０６の水の容量を相対的に減少させる第一状態（図７参照）と、停留気泡としての気泡ＢＡを小さくすることで水溜部１０６の水の容量を相対的に増加させる第二状態（図４参照）とを交互に繰り返し発生させることで、水溜室１０内の圧力を変動させる。
【０１０５】
この観点によれば、気泡供給手段が水溜部１０６に一時的に留まる気泡である停留気泡としての気泡ＢＡの大きさを変更するので、停留気泡としての気泡ＢＡを大きくすることで水溜部１０６の水の容量を相対的に減少させる第一状態と、停留気泡としての気泡ＢＡを小さくすることで水溜部１０６の水の容量を相対的に増加させる第二状態とを交互に繰り返し発生させることができる。このように、第一状態と第二状態とを交互に繰り返し発生させることで、水溜室１０内の水圧を変動させ、吐出口ＮＺａに向かう噴流ＷＳｍの速度を大きく変動させることが可能となり、吐水に大きな流速変動を与えることができる。従って、吐水から着水までの距離が短い場合であっても充分に大きな水塊を形成することができる。
【０１０６】
また本実施形態では、水溜部１０６内において旋回する副水流ＷＳｓを生成する旋回流生成手段を備え、旋回流生成手段は、水溜部１０６内の水の容量を変動させることで、旋回する副水流ＷＳｓの旋回径を変動させ、吐出口ＮＺａからの吐出される噴流ＷＳｍの速度を変更する。このように、旋回流である副水流ＷＳｓの旋回径を変動させるので、副水流ＷＳｓが噴流ＷＳｍに影響を及ぼす態様が変動し、吐出口ＮＺａからの吐出される噴流ＷＳｍの速度を変更することができる。
【０１０７】
また本実施形態では、停留気泡としての気泡ＢＡが形成される形成位置である空気導入口１０ａ及びその下方領域と、水溜部１０６に副水流ＷＳｓが入り込む流入位置である副水流導入口１０ｄとが離隔配置されている。このように、停留気泡としての気泡ＢＡが形成される形成位置である空気導入口１０ａ及びその下方領域と、水溜部１０６に副水流ＷＳｓが入り込む流入位置である副水流導入口１０ｄとが離隔配置されているので、停留気泡としての気泡ＢＡの大きさや位置が急激に変動しても、旋回流である副水流ＷＳｓの軌道に与える直接的な影響を低減することができる。従って、噴流ＷＳｍの速度変動に与える影響も低減することができ、安定した変動態様の噴流ＷＳｍを吐出することができる。
【０１０８】
以上、水溜室１０の構成および吐水に変動を与える構成について説明したが、ここからは、本実施形態における、局部洗浄装置ＷＡ内を流れる水の経路の概略構成について説明する。図１７は、本実施形態における局部洗浄装置ＷＡ内の水路の概略構成について模式的に示すものである。また、図１７（ａ）および（ｂ）はそれぞれ、局部洗浄中および局部洗浄後の水路内の水の状態を示している。
【０１０９】
図１７に示すように、本実施形態における局部洗浄装置ＷＡは、前述した通り、噴射口１０ｂと給水源とを繋ぐ管路である第一給水管路１０２と、水溜室１０側開口１０ｃとノズルＮＺに形成された吐出口ＮＺａとを繋ぐ管路である吐出管路１０３と、第一給水管路１０２から分岐して設けられ、副水流導入口１０ｄに繋がる第二給水管路１０４を有している。なお、この第二給水管路１０４は、水溜室１０において大気泡を加速噴流に間欠的に供給するのに最適な流量の副水流を第一給水管路１０２から供給できるよう管路が予め設計されている。
【０１１０】
ここで、第一給水管路１０２には、第二給水管路１０４へ分岐する分岐部２２よりも上流に、給水源から第一給水管路１０２への水の供給を制御する給水バルブ２０が設けられており、さらにこの給水バルブ２０と分岐部２２との間には、局部洗浄後に水路内の水抜きを行うために第一給水管路１０２を大気とを連通させる大気開放部２４が設けられている。大気開放部２４は、第一給水管路１０２と外部を連通する大気連通路２６と、大気連通路２６に設けられた大気開放弁２８を有している。この大気開放弁２８の開閉を行うことで、第一給水管路１０２と大気との連通と遮断を切換えることができる。大気開放弁２８には、図示しないバネが設けられており、この大気開放弁２８に給水圧が作用していないときには、バネの付勢力によって大気開放弁２８は弁を開いた状態になるが、給水圧が作用すると大気開放弁２８が回動し、弁が閉じた状態となる。つまり、給水源より第一給水管路１０２に水を供給していない場合のみ、第一給水管路１０２を大気と連通するよう構成されている。
【０１１１】
第二給水管路１０４は、略直方体状の箱形状を成している複数の滞留室３０と、これら滞留室３０の間、上流側の滞留室３０と第一給水管路１０２との間、下流側の滞留室３０と水溜室１０の副水流導入口１０ｄとの間を繋ぐ連結水路３２からなる。滞留室３０の相対する側壁（４２、４４）にはそれぞれ流入口３４と流出口３６が設けられており、それぞれの滞留室３０における流入口３４と流出口３６は異なる位置となるように配置され、複数の滞留室３０の間を繋ぐ連結水路３２は、滞留室３０の側壁に設けられた流入口３４と流出口３６とを連結している。
【０１１２】
滞留室３０には、図１７（ａ）に示すように、第二給水管路１０４に水が通水されている状態である局部洗浄中において、流入口３４から流入した水が流出口３６に至るまでの経路である第二通水経路部３８（図１７の滞留室３０内の破線で囲まれる領域）が形成される。この第二通水経路部３８の側方には、第二給水管路１０４に供給された水の一部を滞留している滞留部４０が設けられている。
【０１１３】
第二通水経路部３８に存在する水は、滞留部４０に滞留している水と接触している。第二通水経路部３８を水が進行する場合には、進行に伴って滞留部４０に滞留する水を、図１７（ａ）の滞留部４０に示すように旋回流動させる必要があるため、第二通水経路部３８を進行しようとする水が持つ流動エネルギーは、滞留部４０に滞留する水に奪われてしまう。言い換えると、第二通水経路部３８を進行する水は、滞留部４０から進行を妨げるような抵抗を受ける。これにより、第二通水経路部３８の水は下流側へ流れづらくなるため、第一給水管路１０２から第二給水管路１０４へ水が流入しにくくなる。なお、滞留部４０の大きさ等を調節することにより、滞留部４０内部の水量が変化し、滞留部４０が第二通水経路部３８を進行する水に与える抵抗を変化させることができるため、これにより、第一給水管路１０２から第二給水管路１０４への水の流入しにくさを変化させることができる。したがって、水溜室１０へ供給する副水流の流量が、大気泡を作り出すために適した流量になるよう、予め滞留部４０の大きさを調節することで、水溜室１０に最適な流量の副水流を供給できるようにすることができる。
【０１１４】
また、このように構成された第二給水管路１０４は、局部洗浄装置内の水路の水抜きを行うため、局部洗浄後に大気開放弁２８が開き、第一給水管路１０２と大気が連通した状態になったとしても、第二給水管路１０４内に水を満たした状態を維持することができる。この過程を、図１７（ａ）、（ｂ）に基づき説明する。
【０１１５】
ノズルの吐出口からの吐水により使用者が局部洗浄を行っているときには、図１７（ａ）に斜線で示しているように、第一給水管路１０２、第二給水管路１０４、および水溜室１０が水で満たされ、かつ、図１７（ａ）に矢印で示しているように、下流側に向かって水が進行する状態となっている。
【０１１６】
そして、使用者が局部洗浄後に、リモコンＷＡｄを操作すると、これまで開いていた給水バルブ２０が閉じ、給水源からの第一給水管路１０２への水の供給が停止する。これにより給水源からの給水圧が作用しなくなった大気開放弁２８が図示しないバネの付勢力により、大気連通路２６と第一給水管路１０２を連通するように回動し、第一給水管路１０２へ空気が進入し始める。これにより、図１７（ｂ）示すように、大気開放弁２８よりも下流の水が、水の自重等により外部へと排水される。
【０１１７】
しかし、本実施形態においては、第二給水管路１０４が複数の滞留室３０を有しているため、第二給水管路１０４内の水の自重等によって、第二通水経路部３８に存在する水が、第一給水管路１０２や水溜室１０へ進行しようとする流動エネルギーを有していたとしても、滞留部４０に滞留している水は、滞留部４０に流れのない安定な状態を維持しようとして、第二通水経路部３８に存在する水に対してその進行を妨げるよう力（抵抗）を作用させるため、第二通水経路部３８から水が抜けることを防止することができる。特に、本実施形態においては、滞留部４０を複数設けているため、このような力が第二通水経路部３８内の水全体により強く作用する。したがって、滞留室３０を１つだけ設けた場合に比べて、より確実に水抜けを防止することができる。
このように、局部洗浄後に、第二給水管路１０４から水が抜けないようにすることで、局部洗浄を行わない待機状態において、第二給水管路１０４内を空気が流動することを抑制することができ、第二給水管路１０４内の水と空気の接触機会を低減させることができるため、第二給水管路１０４内壁にスケールが付着することを抑制できる。したがって、スケール付着により第二給水管路１０４の圧損が変化して水溜室１０に所望の流量で副水流を供給できなくなるといった事態を回避することができるため、より安定して加速噴流に大気泡を間欠的に供給することができる。
【０１１８】
また、本実施形態においては、第二給水管路１０４の下流側に設けられた中空部３０（３０ａ、３０ｂ）のように、流入口３４の軸心線ＣＬ上に流入口３４が設けられた側壁４２と対向する側壁４４が存在するよう構成しているため、流入口３４から流入しようとする水は、この側壁によりその進行が妨げられる。したがって、より第二通水経路部３８を進行しようとする水の進行を妨げるようにできるため、より確実に水抜けを防止することができる。また、大便器洗浄時や使用者が便座に着座した際に生じる大きな振動により、第二給水管路１０４内の水に流動が生じたとしても、同様にこの流動を妨げるよう側壁が作用するため、より一層確実に水抜けを防止することができる。
【０１１９】
次に、第二給水管路１０４の変形例である第二給水管路１１０について図１８に基づいて説明する。第二給水管路１１０は、図１７の滞留室３０とは異なる滞留室３１を有しており、図１８には第二給水管路１１０の滞留室３１の周辺のみを示している。
【０１２０】
滞留室３１は、図１７に示した滞留室３０と同様、箱状の形態を有しており、第二給水管路１１０には２つの滞留室３１（３１ａ、３１ｂ）が設けられている。一方の滞留室３１（３１ａ）は、図１７に示した滞留室３０と同様、流入口３５と流出口３７のそれぞれが対向する側壁に設けられているのに対し、他方の滞留室３１（３１ｂ）には、流入口３５と流出口３７のそれぞれが、隣接する側壁に設けられている。また、流入口３５と流出口３７はそれぞれ滞留室３１の長手方向における相対する端部に設けられており、さらに、それぞれの第二通水経路部３８が直交するよう構成され、その上、滞留室３１ａの流出口３５と滞留室３１ｂの流入口３７が同一の開口を成す形で接続している。なお、第一給水管路１０２から分岐した連結水路３３は、滞留室３１ａの流入口３５に繋がっており、滞留室３１ｂの流出口３７は連結水路３３によって、副水流導入口１０ｄに繋がっている。
【０１２１】
このように構成された第二給水管路１１０では、図１８に示すように、少ない数の滞留室３１で、滞留室３１のより多くの側壁により第二通水経路部３８内部を進行しようとする水に抵抗を与えることができる。また、連結流路を設けずに２つの滞留室３１を直接接続しているため、滞留室３１間に距離がなく、第二給水管路１１０が短い場合でも、より多くの滞留室３１を設けることができる。
【符号の説明】
【０１２２】
ＷＡ：局部洗浄装置
ＷＡａ：本体部
ＷＡｂ：便座
ＷＡｃ：便蓋
ＷＡｄ：リモコン
ＮＺ：ノズル
ＮＡａ：吐出口
ＣＢ：大便器
ＪＷ：吐水
１０：水溜室
１０ａ：空気導入口
１０ｂ：噴射口
１０ｃ：水溜室側開口
１０ｄ：副水流導入口
１０１：空気管路
１０２：第一給水管路
１０３：吐出管路
１０４、１１０：第二給水管路
１０５：第一通水経路部
１０６：水溜部
２０：給水バルブ
２２：分岐部
２４：大気開放部
２６：大気連通路
２８：大気開放弁
３０（３０ａ、３０ｂ）、３１（３１ａ、３１ｂ）：滞留室
３２、３３：連結水路
３４、３５：流入口
３６，３７：流出口
３８：第二通水経路部
４０：滞留部
ＰＷ：溜水
ＢＡ：気泡
ＷＳｍ：噴流
ＷＳｓ：副水流
【図１】
2015068098.tif 000003
【図２】
2015068098.tif 000004
【図３】
2015068098.tif 000005
【図４】
2015068098.tif 000006
【図５】
2015068098.tif 000007
【図６】
2015068098.tif 000008
【図７】
2015068098.tif 000009
【図８】
2015068098.tif 000010
【図９】
2015068098.tif 000011
【図１０】
2015068098.tif 000012
【図１１】
2015068098.tif 000013
【図１２】
2015068098.tif 000014
【図１３】
2015068098.tif 000015
【図１４】
2015068098.tif 000016
【図１５】
2015068098.tif 000017
【図１６】
2015068098.tif 000018
【図１７】
2015068098.tif 000019
【図１８】
2015068098.tif 000020